(57)【要約】【課題】モードダイアル等の操作部の構成や操作が簡易で、操作の手間を低減した携帯型端末の提供を図る。【解決手段】携帯型端末である放送受像表示装置１は、使用者の操作を受けるモードダイアル２０と複数の開口を備えるロック板２１とを、筐体２の上面に回動可能に取り付けたものである。筐体２の背面にはロックスライド１０を取り付けている。ロックスライド１０の内側には、くの字形状の板バネ部４０を取り付けている。板バネ部４０には摺動ピン３０を弾接させていて、ロックスライド１０が開状態では、板バネ部４０は摺動ピン３０の先端がロック板２１の開口に当接する位置に向けて摺動ピン３０を付勢する。ロックスライド１０が閉状態では、板バネ部４０は摺動ピン３０の側面がロック板２１の開口の側壁に当接する位置に向けて摺動ピン３０を付勢する。【選択図】  図３
2008085606.tif 000002
【特許請求の範囲】
【請求項１】
筐体に摺動可能に取り付けられ、その先端付近が筐体に回動可能に取り付けた円盤状のダイアルに接する摺動ピンと、前記摺動ピンを摺動方向に向けて付勢する付勢部と、を備える携帯型端末において、
前記摺動ピンは、前記摺動方向に平行な側面部と、前記ダイアルの回動面に対して非垂直な先端部と、を備え、
前記ダイアルは、当該ダイアルの回動面に対して垂直な内壁を有する開口と、前記摺動ピンの先端部に勘合する形状の開口と、を少なくとも含む複数の開口を、前記摺動ピンが回動に伴って当接する円周上に配列したものであり、
前記付勢部は、前記摺動ピンの摺動方向に垂直に摺動して固定されるスライド部材と、前記スライド部材に固定されるとともに前記摺動ピンを前記摺動方向に付勢する、くの字形状の板バネと、を備え、
前記スライド部材は、前記ダイアルの開口に前記摺動ピンの側面部が嵌通しない位置に向けて、前記板バネが前記摺動ピンを付勢する第１の摺動位置、または、前記ダイアルの開口の内壁に前記摺動ピンの側面部を当接させる位置に向けて、前記板バネが前記摺動ピンを付勢する第２の摺動位置で固定されることを特徴とする携帯型端末。
【請求項２】
筐体に摺動可能に取り付けられ、その先端付近が前記筐体に回動可能に取り付けたダイアルに接する摺動ピンと、前記摺動ピンを摺動方向に向けて付勢する付勢部と、を備える携帯型端末において、
前記ダイアルは、前記摺動ピンが回動に伴って当接する円周上に複数の開口を配したものであり、
前記付勢部は、前記摺動ピンの摺動方向に垂直に摺動して固定されるスライド部材と、前記スライド部材に固定されるとともに前記摺動ピンを前記摺動方向に向けて付勢する、くの字形状の板バネと、を備える携帯型端末。
【請求項３】
前記摺動ピンは、前記摺動方向に平行な側面部を備え、
前記ダイアルの複数の開口のいずれかは、当該ダイアルの回動面に対して垂直な内壁を有する請求項２に記載の携帯型端末。
【請求項４】
前記摺動ピンは、さらに前記ダイアルの回動面に対して非垂直な先端部を備え、
前記ダイアルの複数の開口のいずれかは、前記摺動ピンの先端部に勘合する形状である請求項２または３に記載の携帯型端末。
【請求項５】
前記スライド部材は、前記ダイアルの開口に前記摺動ピンの側面部が嵌通しない位置に向けて、前記板バネが前記摺動ピンを付勢する第１の摺動位置、または、前記ダイアルの開口の内壁に前記摺動ピンの側面部を当接させる位置に向けて、前記板バネが前記摺動ピンを付勢する第２の摺動位置で固定されることを特徴とする請求項２〜４のいずれかに記載の携帯型端末。
【発明の詳細な説明】
【技術分野】
【０００１】
本発明は、携帯型のビデオカメラやラジオ、テレビ放送再生端末などの携帯型端末に関するものである。
【背景技術】
【０００２】
近年、携帯型のビデオカメラやラジオ、テレビ放送再生端末など様々な携帯型端末が普及している。携帯型端末のなかには、動作モードを設定するためのモードダイアルを備え、モードダイアルの所定回動角度を電源オフに設定したものが知られている。
【０００３】
このようなモードダイアルを備える携帯型端末を使用者がポケット等に携帯する場合、利用者が意図していなくてもモードダイアルに回転トルクが伝わって、モードダイアルが回動して携帯型端末の電源が入ることがある。そこでモードダイアルが勝手に回動しないように対策を施した携帯型端末が提供されている。
【０００４】
特許文献１に開示された従来例の携帯型端末は、モードダイアルのロック機構として、モードダイアルに設けた突起部と、筐体（背面カバー）に設けた係合部とを備える。そして、突起部と係合部とを係合させモードダイアルをロックする。モードダイアルにはモードロックボタンを設けていて、モードロックボタンを押圧することでモードダイアルの突起部を変位させ、突起部と係合部との係合を解く。これにより、モードダイアルのロックを解除する。またモードロックボタンには、突起部を係合部方向に付勢するバネ部材を設けていて、モードダイアルが電源オフ位置のときに、バネ部材の弾性力により自動的に突起部と係合部とが係合する。
【０００５】
この携帯型端末ではさらに、モードダイアルのクリック機構として、凹凸部を有するクリック板をモードダイアルに備え、凸部を有する板バネを背面カバーに備える。そして、板バネの凸部とクリック板の凹凸部とを弾接させることにより、モードダイアルの回動に伴い板バネを弾性摺動させ、モードダイアルにクリック感を与える。
【特許文献１】特開２００５−５０６３７号公報
【発明の開示】
【発明が解決しようとする課題】
【０００６】
従来例の携帯型端末では、モードダイアルが電源オフに対応する回動角度のときに使用者がモードロックボタンを押圧していなければ、強制的にロックが掛かってしまう。したがって、使用者が誤ってモードダイアルをロック位置まで回動した場合にも、強制的にロックが掛かり使用者にロック解除の手間がかかる。また、ロック機構やクリック機構をそれぞれ設けるため、構成が複雑で部品点数が多かった。
【０００７】
本発明はこのような従来の課題を解決しようとするものであり、モードダイアルの構成が簡易で、操作性が高い携帯型端末を提供することを目的とする。
【課題を解決するための手段】
【０００８】
（１）本発明は、筐体に摺動可能に取り付けられ、その先端付近が筐体に回動可能に取り付けた円盤状のダイアルに接する摺動ピンと、前記摺動ピンを摺動方向に向けて付勢する付勢部と、を備える携帯型端末において、前記ダイアルは、前記摺動ピンが回動に伴って当接する円周上に複数の開口を配したものであり、前記付勢部は、前記摺動ピンの摺動方向に垂直に摺動して固定されるスライド部材と、前記スライドに固定されるとともに前記摺動ピンを前記摺動方向に付勢する、くの字形状の板バネと、を備える。
【０００９】
この構成では、スライド部材が摺動ピンの軸方向に垂直に摺動するので、板バネと摺動ピンが弾接する位置も摺動する。したがって、スライド部材の位置によって摺動ピンに異なる付勢力が与えられる。これにより摺動ピンに与える付勢力が、スライド部材の位置によって調整可能になる。
【００１０】
板バネの付勢力が強い位置にスライド部材を固定すれば、開口が摺動ピンの先端にきたときに開口と摺動ピンとが堅固に係合しダイアルを固定することができる。一方、板バネの付勢力が弱い位置にスライド部材を固定すれば、開口が摺動ピンの先端にきたとしても、必ずしも強制的にダイアルにロックがかかることを無くすことができる。これにより、不要な解除操作が必要でなくなり使用者にとっての操作性が高まる。
【００１１】
（２）本発明の前記摺動ピンは、前記摺動方向に平行な側面部を備え、前記ダイアルの複数の開口のいずれかは、当該ダイアルの回動面に対して垂直な内壁を有する。
【００１２】
この構成において、上記開口の内壁に摺動ピンの側面部を当接させれば、摺動ピンがダイアルの回動を阻害し、ダイアルを確実にロックできる。
【００１３】
（３）本発明の前記摺動ピンは、前記ダイアルの回動面に対して非垂直な面からなる先端部を備え、前記ダイアルの複数の開口のいずれかは、前記摺動ピンの先端部に勘合する形状の開口を少なくとも含む。
【００１４】
この構成において、上記開口が摺動ピンの先端にきたときには、付勢力が強い位置にスライドを固定していても、上記開口と摺動ピンの先端部とは、回動面に非垂直な面同士で当接する。この場合、開口の縁から摺動ピンの先端に伝わる回転トルクから、摺動ピンの軸方向に分力が生じる。したがって摺動ピンがダイアルの形状に沿って弾性摺動し、ダイアルにクリック感が伝わる。
【００１５】
（４）本発明の前記スライド部材は、前記ダイアルの開口に前記摺動ピンの側面部が嵌通しない位置に向けて、前記板バネが前記摺動ピンを付勢する第１の摺動位置、または、前記ダイアルの開口の内壁に前記摺動ピンの側面部を当接させる位置に向けて、前記板バネが前記摺動ピンを付勢する第２の摺動位置で固定されることを特徴とする。
【００１６】
この構成では、スライド部材が第２の摺動位置にあって、さらに、ダイアルの回動面に対して垂直な内壁を有する開口がちょうど摺動ピンの先端の位置にくる場合にのみ、ダイアルはロックされる。一方、スライド部材が第２の摺動位置であっても、ちょうど摺動ピンの先端の位置にきた開口が、前記摺動ピンの先端部の形状に嵌合する形状であれば、モードダイアルをロックすることなくクリック感のみ得ることができる。また、スライド部材が第１の摺動位置にあれば、開口の形状によらずに、モードダイアルがロックしない。
【発明の効果】
【００１７】
この発明によれば、簡易な構成でモードダイアルをロックする機構を構成でき、ダイアルの所定角度であっても、強制的にロックがかかることがなくなる。さらにモードダイアルにクリック感を与える事も可能になる。したがって、使用者が誤ってモードダイアルのロックに対応する回動角度までモードダイアルを回動させた場合であっても、必ずしもモードダイアルのロックが掛からないので、使用者にとっての操作性が改善される。
【発明を実施するための最良の形態】
【００１８】
以下、本発明の携帯型端末の実施形態として、放送電波を受信して映像表示を行う携帯型の放送受像表示装置を例に説明する。
【００１９】
まず、放送受像表示装置の概略構成を説明する。図１と図２は、携帯型端末である放送受像表示装置１の外観図である。図１（Ａ）は背面図、図１（Ｂ）は上面図、図１（Ｃ）は正面図であり、図２（Ａ）は背面図、図２（Ｂ）は上面図である。
【００２０】
本実施形態の放送受像表示装置１は、筐体２の内部に受像回路や映像処理回路、モード選択回路などの電子基板を内装する。また、放送受像表示装置１は、筐体２の正面に設けた表示部３に映像処理回路の出力する映像を表示する。また、放送受像表示装置１は、筐体２の上面に回動可能に設けたモードダイアル２０の操作により、回動角度に従った動作モードを設定する。また、放送受像表示装置１は、筐体２の背面に摺動可能に設けたロックスライド１０の操作により、モードダイアル２０をロックする。また、上面図に示すモードダイアル２０の内側に設けたボタン５はモードダイアル２０と同軸に配置されていて、モード以外の各種操作（映像等の再生・停止操作など）に用いる。
【００２１】
図１はロックスライド１０を図左側に摺動させて閉じた状態の外観を示している。このようにロックスライド１０を閉位置にスライドさせている場合であって、且つ、モードダイアル２０が電源オフに対応する回動角度であれば、モードダイアル２０はロックしている。ロックスライド１０を閉位置にスライドさせている場合であっても、モードダイアル２０の回動角度が電源オフに対応していない他の回動角度であれば、モードダイアル２０はロックされず、モードダイアル２０は回動可能である。
【００２２】
一方、図２はロックスライド１０を図右側に摺動させて開いた状態の外観を示している。このようにロックスライド１０を開状態にスライドさせることで、モードダイアル２０はロックが解除された状態になる。このようにロックスライド１０を開位置にスライドさせている場合は、モードダイアル２０の回動角度が電源オフに対応する回動角度であっても、モードダイアル２０はロックされずに回動可能である。
【００２３】
図１に示すようにロックスライド１０を閉状態にして、モードダイアル２０の回動角度を電源オフに対応するものにしていれば、モードダイアル２０がロックし、例えば放送受像表示装置１を使用者がポケットやかばんに入れていてもロックスライド１０が使用者に不作為に開状態になることが殆んどなくなる。したがって、モードダイアル２０にどのような回転トルクが掛かろうと、勝手に電源が入ってしまうことを無くすことができる。
【００２４】
次に、各部材について説明する。
【００２５】
筐体２は、プラスチック成形した背面カバー部材と正面カバー部材とを接合した、正面−背面間が薄肉の略方形部材である。筐体２の角にあたる部分は湾曲させ滑らかにしている。この筐体２の背面右側には、使用者が筐体２全体をグリップし易いよう、背面方向に突出する把持部４を設けている。この把持部４上にはロックスライド１０を配している。また、筐体２の把持部４上面側にはモードダイアル２０を配している。このようにロックスライド１０とモードダイアル２０とを筐体２の同側に設けているため、使用者は筐体２を片手で確実に把持しながら、その手でロックスライド１０とモードダイアル２０の操作をできる。なお、筐体２の、ロックスライド１０とモードダイアル２０と表示部３とに覆われた位置それぞれには、開口（不図示）を設けている。これらの開口を介して筐体２にはロックスライド１０とモードダイアル２０と表示部３とをそれぞれ取り付けている。これら開口の詳細については後述する。
【００２６】
把持部４のロックスライド１０に覆われている位置には、ロックスライド１０を収容するスライド収納部６を設けている（図２参照）。また、スライド収納部６のロックスライド１０を開いた状態で露出する位置には凹部７を設けている。また、スライド収納部６のロックスライド１０を開いた状態でも露出することがない内側にも凹部７と同一形状の凹部（不図示）を設けている。また、ロックスライド１０の裏側には、このスライド収納部６内の各凹部の形状と一致する形状の凸部（不図示）を設けている。スライド収納部６内の各凹部に、ロックスライド１０の凸部を嵌合させることで、ロックスライド１０が開位置または閉位置で保持される。ロックスライド１０を開位置または閉位置で保持した状態からロックスライド１０をスライドさせると、ロックスライド１０の凸部が弾性変形して凹部との嵌合が解かれる。
【００２７】
モードダイアル２０は略円筒円盤形状で外側面にグリップ溝を設けている。また、モードダイアル２０の内側には、ボタン５を収容する嵌合孔を設けている。このモードダイアル２０は筐体２内部に設けられている後述するクリック機構により、複数の所定回動角度でクリック感が得られるようにしている（以下、この所定回動角度のことをクリック角度と称する。）。各クリック角度には各種動作モードを対応させている。例えば、電源オフモード、受信した放送を表示部に表示する放送表示モード、内蔵するメモリに記憶している映像ファイルの映像を表示部に表示する録画再生モード、内蔵するメモリに記憶している音楽ファイルの音楽を再生するとともに音声ファイルの文字情報を表示部に表示する音楽再生モードなどである。このため、モードダイアル２０の操作のみで容易に放送受像表示装置１のモード切り替えができ、高い操作性を使用者に提供できる。なお、切り替えの対象となるモードは上記以外のどのようなモードであっても良い。
【００２８】
ロックスライド１０は、プラスチック成形された「つ」の字形状の部材である。ロックスライド１０は図左方向に摺動して閉じた状態で、筐体２に湾曲して沿い、部分的に筐体背面方向に突出する。ロックスライド１０が閉状態で筐体２に沿って湾曲するため、使用者がポケット等にこの携帯型端末を入れていても、勝手にロックスライド１０が開状態になってしまうことを低減している。また、ロックスライド１０が部分的に筐体背面方向に突出するため、ロックスライド１０はグリップ性が高いものとなっている。なお、このロックスライド１０は筐体内部に突出する台部（不図示）を備えている。この台部については後述する。
【００２９】
次に、筐体２の内部構成について説明する。
【００３０】
図３は、放送受像表示装置１の内側から背面カバー部材を見た分解図であり、同図（Ａ）がロックスライド１０を開状態にした図、同図（Ｂ）がロックスライド１０を閉状態にした図である。
【００３１】
筐体２の内部には、モードダイアルに連動して回動するロック板２１と図上下方向に摺動する摺動ピン３０と、摺動ピン３０を図上方向に付勢する板バネ部４０と、摺動ピン３０を図下方向に付勢するコイルバネ４１とを備えている。
【００３２】
ロック板２１は筐体２の上面に設けた開口を介してモードダイアル２０に固着していて、筐体２に対して回動可能に保持されている。また、ロックスライド１０の台部１１を、筐体２の背面に設けた開口を介して筐体２の内側に突出させている。この台部１１には板バネ部４０をネジ止めしている。したがって板バネ部４０はロックスライド１０に連動し、筐体２に対して図左右方向に摺動する。摺動ピン３０は筐体に固着された円筒状の軸受け部８に挿通されていて、図上下方向にのみ摺動可能に保持されている。コイルバネ４１は内側に摺動ピン３０が挿通されており、摺動ピン３０の段部３１と筐体２の軸受け部８との間に保持されている。
【００３３】
図４はロック板２１の詳細構成を示していて、同図〈Ａ〉は主面図であり、同図（Ｂ）は同図（Ａ）に示すＸＡ−ＸＡ断面図である。ロック板２１は円筒円盤形状であり、中央にボタン５を配置するための中心孔２４を備えている。また、円周付近に８つの開口２２Ａ〜２２Ｇ，２３を備えている。各開口２２Ａ〜２２Ｇ，２３は４５°ごとに等間隔配置されていて、開口２２Ａ〜２２Ｇは半球状の凹みであり、開口２３は主面間を貫通する貫通孔状である。開口２２Ａ〜２２Ｇ，２３はそれぞれロック板２１の外縁に接するように配置して、ロック板２１の外縁と各開口との間には薄肉の部位ができないようにしている。これにより薄肉のの破損や不具合し易い部分をなくしている。なお、各開口２２Ａ〜２２Ｇ，２３に対応する回動角度は、各種動作モードを対応させていて、開口２３が摺動ピン３０に係合されると、端末本体は電源オフになる。
【００３４】
図５は摺動ピン３０の詳細構成を示している。摺動ピン３０は、コイルバネを係止するための段部３１と上ピン部３０Ａと下ピン部３０Ｂと先端部３２とを同軸に配置したものである。上ピン部３０Ａと下ピン部３０Ｂとは同じ半径の円柱形状である。段部３１は、それらより半径の大きな円柱形状である。また、先端部３２は半球状である。この摺動ピン３０は、段部３１よりも図上側にコイルバネ４１が装荷され、筐体２の内側に設けられた軸受け部８に挿入され、先端部３２でロック板２１に当接する。また、摺動ピン３０の図下側の端は板バネ部４０に弾接する。
【００３５】
図６は板バネ部４０とロックスライド１０の詳細構成を示している。板バネ部４０とロックスライド１０とは、ネジ４２により固定されている。ロックスライド１０は筐体内に収容されるＴ字型の台部１１を備えていて、台部１１はネジ穴（不図示）を有している。板バネ部４０は、くの字形状の部材である。この板バネ部４０は、ロックスライド１０の台部１１上に載置されるバネ下肢部４４と、バネ下肢部４４から屈曲するバネ上肢部４３と、バネ下肢部４４の側方から図下方向に湾曲して延びロックスライド１０の台部１１にねじ止めされる台接続部４５とを備えている。板バネ部４０の台接続部４５には、ネジ止めのために孔（不図示）を設けており、この孔に対して、ロックスライド１０の台部１１に設けたネジ穴を重ねて、ネジ穴にネジ４２を螺合している。また、板バネ部４０のバネ上肢部４３とバネ下肢部４４とは、ロックスライド１０が開状態にスライドする方向に次第に拡開するように、バネ上肢部４３を斜行させている。このように板バネ部４０とロックスライド１０とを構成しているので、ロックスライド１０が筐体に対して相対的にスライドすると、板バネ部４０も同様にスライドする。ロックスライド１０を閉状態から開状態にスライドさせるとバネ上肢部４３に摺動ピン３０が当接する位置が、バネ上肢部４３とバネ下肢部４４との接続端付近からバネ上肢部４３の先端付近にスライドする。
【００３６】
次に、上記した構成の動作について説明する。
【００３７】
図３（Ｂ）に示すようにロックスライド１０を閉状態にしている場合、ロックスライド１０の筐体内に配置している板バネ部４０は筐体内を図右方向にスライドしている。一方、摺動ピン３０は図左右方向には変異しないように筐体に固定された軸受け部８に挿通されている。また、板バネ部４０のバネ上肢部が摺動ピン３０の摺動方向に対して斜行する方向に傾いて（拡開して）いる。したがってこの場合、摺動ピン３０の下端はバネ上肢部の先端付近に当接（弾接）し、板バネ部４０から図上側に向けて強い付勢力を受ける。なお、コイルバネ４１からは図下側に向けて付勢力を受けるが、コイルバネ４１のバネ定数は板バネ部４０よりも弱く設定している。
【００３８】
モードダイアル２０の回動角度が電源オフ位置に対応した回動角度であれば、摺動ピン３０の先端が当接するはずのモードダイアルの位置には、主面間に貫通する形状の開口２３があり、摺動ピン３０は図上方向に変位する。そして開口２３内に摺動ピン３０が挿通した図示する位置で、板バネ部４０の付勢力とコイルバネ４１の付勢力とが拮抗する。開口２３の内側の側面には、摺動ピン３０の先端ではなく側面が接する。開口２３の内側の側面と摺動ピン３０の側面とは、ロック板２１の回動方向にそれぞれ垂直であり、例えロック板２１に回転トルクがかかっても、摺動ピンには、摺動方向の外力が生じない。したがって、摺動ピン３０の位置は、ロック板２１にかかる回転トルクによらずに一定に維持され、ロック板２１が回動しない。よって、ロックスライド１０を閉状態にしていて、且つ、モードダイアル２０が電源オフに対応する回動角度の場合には、モードダイアル２０はロックされることになる。
【００３９】
また、このようにロックスライド１０を閉状態にしている場合であっても、モードダイアル２０の回動角度が電源オフ位置に対応した回動角度でなければ、摺動ピン３０の先端がロック板２１の主面に弾接する。モードダイアル２０の回動角度が電源オフ以外の他のモードに対応した回動角度であれば、摺動ピン３０の先端が半球状の開口２２（２２Ａ〜２２Ｇ）に接するが、開口２２の内壁と摺動ピン３０の先端は、ロック板２１の回動方向にそれぞれ非垂直であり、摺動ピン３０にはロック板２１の回転トルクから摺動方向の分力が生じる。したがって、摺動ピン３０の位置は図上下方向に、ロック板２１の主面形状にしたがって変位し、摺動ピン３０が弾性摺動する。これにより、ロックスライド１０を閉状態にしていて、且つ、モードダイアル２０が電源オフ以外の他のモードに対応する回動角度の場合には、モードダイアル２０ではクリック感が得られることになる。
【００４０】
また、図３（Ａ）に示すようにロックスライド１０を開状態にしている場合、ロックスライド１０の筐体内に配置している板バネ部４０は筐体内を図左方向にスライドしている。一方、摺動ピン３０は図左右方向には変異しないように筐体に固定された軸受け部８に挿通されている。また、板バネ部４０のバネ上肢部が摺動ピン３０の摺動方向に対して斜行する方向に傾いている。したがってこの場合、摺動ピン３０の下端はバネ上肢部とバネ下肢部の接続部位付近に当接（弾接）し、板バネ部４０から図上側に向けて弱い付勢力を受ける。
【００４１】
それまで、モードダイアル２０がロックされていて、モードダイアル２０の回動角度が電源オフ位置に対応した回動角度であれば、摺動ピン３０は図下方向に変位する。そして開口２３の角付近に摺動ピン３０の先端が位置する図示する状態で、板バネ部４０の付勢力とコイルバネ４１の付勢力とが拮抗する。この状態で、仮にモードダイアル２０に回転トルクがかかると、摺動ピン３０の先端は開口２３の角に接し、ロック板２１から力を受ける。開口２３の角と摺動ピン３０の先端とは、ロック板２１の回動方向に非垂直に接するので、摺動ピン３０にはロック板２１の回転トルクから摺動方向の分力が生じる。したがって、摺動ピン３０の位置は図下方向に変位し、摺動ピン３０が弾性摺動する。これにより、ロックスライド１０を開状態にしていれば、モードダイアル２０が電源オフに対応する回動角度であってもモードダイアル２０は回動可能になり回動に伴いクリック感が得られることになる。
【００４２】
また、半球状の開口２２（２２Ａ〜２２Ｇ）に摺動ピン３０の先端が接する状態では、ロックスライド１０を開状態にしている場合であっても、摺動ピン３０にはロック板２１の回転トルクから摺動方向の分力が生じ、摺動ピン３０が弾性摺動する。この場合にも、モードダイアル２０ではクリック感が得られることになる。
【００４３】
このように本発明の構成を採用した携帯型端末は、モードダイアルをロックする構成と、モードダイアルにクリック感を与える構成を、同一の部材で構築でき、従来よりも部品点数を低減し、携帯型端末のコストを抑制できる。また、ロックスライド１０を開状態にしている場合であれば、どのようなモードダイアルの回動角度であっても、ロックがかかることがなく、使用者が誤ってモードダイアルのロックに対応する回動角度までモードダイアルを回動させた場合であっても、ロック解除の操作を必要としない。したがって、使用者に良好な操作性を提供できる。
【００４４】
なお、本実施形態では、携帯型端末として放送受像再生装置を用いる例を示したが、本発明はモードダイアルを用いるものであれば多様な装置に適用でき、放送受像再生装置に限られない。例えば、携帯型音楽再生装置や、携帯型ビデオカメラ、携帯型ラジオ、カメラ装置、携帯電話など多様な装置に適用可能である。
【図面の簡単な説明】
【００４５】
【図１】実施形態に係る携帯型の放送受像再生装置の、ロックした状態での外観図である。
【図２】実施形態に係る携帯型の放送受像再生装置の、ロック解除した状態での外観図である。
【図３】実施形態に係る携帯型の放送受像再生装置の分解図である。
【図４】実施形態に係る携帯型の放送受像再生装置に内装するロック板の構成図である。
【図５】実施形態に係る携帯型の放送受像再生装置に内装する摺動ピンの構成図である。
【図６】実施形態に係る携帯型の放送受像再生装置に内装する板バネ部とロックスライドの構成図である。
【符号の説明】
【００４６】
１−放送受像表示装置
２−筐体
３−表示部
４−把持部
５−ボタン
６−スライド収納部
７−凹部
８−軸受け部
１０−ロックスライド
１１−台部
２０−モードダイアル
２１−ロック板
２２，２３−開口
２４−中心孔
３０−摺動ピン
３０Ａ−上ピン部
３０Ｂ−下ピン部
３１−段部
３２−先端部
４０−板バネ部
４１−コイルバネ
４２−ネジ
４３−バネ上肢部
４４−バネ下肢部
４５−接続部
【図１】
2008085606.tif 000003
【図２】
2008085606.tif 000004
【図３】
2008085606.tif 000005
【図４】
2008085606.tif 000006
【図５】
2008085606.tif 000007
【図６】
2008085606.tif 000008